(57)【要約】【課題】腕や脚に装着して使用することにより、多数の磁石ピースによる磁気治療効果と、ゲルマニウムピースによる、体内の電流バランスを整えてコリを緩和するといったゲルマニウム効果の相乗的効果を享受し得る環状磁気治療具を提供することを課題とする。【解決手段】永久磁石１を埋設した磁石ピース２とゲルマニウム３を埋設したゲルマニウムピース４とが、混在配列されて環状にされた環状磁気治療具である。２つの磁石ピース２と１つのゲルマニウムピース４が組みにされて配列される。磁石ピース２には上下に２つの永久磁石１が極性が異なるようにして埋設され、組みにされた２つの磁石ピース２の一方の上側の永久磁石１の極性と、他方の上側の永久磁石１の極性とが異なるように配置される。【選択図】図１
2018093990.tif 000002
【特許請求の範囲】
【請求項１】
永久磁石を埋設した磁石ピースとゲルマニウムを埋設したゲルマニウムピースとが、混在配列されて環状にされていることを特徴とする環状磁気治療具。
【請求項２】
２つの前記磁石ピースと１つの前記ゲルマニウムピースが組みにされて配列されている、請求項１に記載の環状磁気治療具。
【請求項３】
前記磁石ピースには上下に２つの永久磁石が極性が異なるようにして埋設され、前記組みにされた２つの磁石ピースの一方の上側の永久磁石の極性と、他方の上側の永久磁石の極性とが異なるように配置される、請求項２に記載の環状磁気治療具。
【請求項４】
前記磁石ピースのケースと前記ゲルマニウムピースのケースは、セラミックス製で直方体形状を呈するように形成され、且つ、両ケースは同一サイズで外側面が同一デザインに形成される、請求項１乃至３のいずれかに記載の環状磁気治療具。
【請求項５】
前記磁石ピースと前記ゲルマニウムピースの連結は、それらのケースの上部及び下部に横方向に貫通するように穿設された紐挿通孔に、連結紐が挿通されることによって行われる、請求項１乃至４のいずれかに記載の環状磁気治療具。
【請求項６】
前記連結紐の端部は一対の連結具に固定され、前記一対の連結具は腰掛け継手構造とされ、密着し合うそれらの接合面に、互いに吸着し合う永久磁石が埋設されると共に、互いに係合し合う凹凸部が形成される、請求項５に記載の環状磁気治療具。
【請求項７】
請求項５又は６に記載の環状磁気治療具を２つ上下に重ねて一体化された複合環状磁気治療具であって、
前記２つの環状磁気治療具が、その途中数か所に配置された、上側の環状磁気治療具の前記連結紐を挿通する２つの挿通孔と、下側の環状磁気治療具の前記連結紐を挿通する２つの挿通孔が形成された結合ピースを介して一体化され、且つ、前記上側の環状磁気治療具の前記連結紐の端部を固定すると共に、前記下側の環状磁気治療具の前記連結紐を固定する一対の連結具を介して環状にされていることを特徴とする複合環状磁気治療具。
【発明の詳細な説明】
【技術分野】
【０００１】
本発明は、環状磁気治療具に関するものであり、より詳細には、コリや血行を改善する目的で腕や脚に装着する環状磁気治療具に関するものである。
【背景技術】
【０００２】
従来より、患部の保温や血行の改善を良くする磁気治療効果を有するブレスレット等の環状磁気治療具として、種々の形態のものが出回っている。また最近では、体内の電流バランスを整えてコリを緩和するといったゲルマニウム効果を奏するブレスレット等の環状製品も種々出回るようになってきている。
【０００３】
言うまでもなく、これらの環状磁気治療製品やゲルマニウム製品は、それぞれ有効な磁気治療効果、あるいは、ゲルマニウム効果を奏するものではあっても、両効果の同時発現を企図したものではない。
【先行技術文献】
【特許文献】
【０００４】
【特許文献１】特開２０１１−４１７３８号公報
【特許文献２】特許２０１２−１４３３８８号公報
【特許文献３】特開平１１−３４２２１２号公報
【特許文献４】特開２００１−３４０４７１号公報
【発明の概要】
【発明が解決しようとする課題】
【０００５】
上述したように、従来出回っている環状磁気治療製品やゲルマニウム製品は、それぞれ有効な磁気治療効果、あるいは、ゲルマニウム効果を奏するものではあっても、両効果の同時発現を企図したものではない。そこで本発明は、腕や脚に装着して使用することにより、多数の磁石ピースによる磁気治療効果と、ゲルマニウムピースによる、体内の電流バランスを整えてコリを緩和するといったゲルマニウム効果の相乗的効果を享受し得る環状磁気治療具を提供することを課題とする。
【課題を解決するための手段】
【０００６】
上記課題を解決するための請求項１に係る発明は、永久磁石を埋設した磁石ピースとゲルマニウムを埋設したゲルマニウムピースとが、混在配列されて環状にされていることを特徴とする環状磁気治療具である。
【０００７】
一実施形態においては、２つの前記磁石ピースと１つの前記ゲルマニウムピースが組みにされて配列される。また、前記磁石ピースには上下に２つの永久磁石が極性が異なるようにして埋設され、前記組みにされた２つの磁石ピースの一方の上側の永久磁石の極性と、他方の上側の永久磁石の極性とが異なるように配置される。
【０００８】
一実施形態においては、前記磁石ピースのケースと前記ゲルマニウムピースのケースは、セラミックス製で直方体形状を呈するように形成され、且つ、両ケースは同一サイズで外側面が同一デザインに形成される。
【０００９】
一実施形態における前記磁石ピースと前記ゲルマニウムピースの連結は、それらのケースの上部及び下部に横方向に貫通するように穿設された紐挿通孔に、連結紐が挿通されることによって行われる。そして、前記連結紐の端部は一対の連結具に固定される。前記一対の連結具は腰掛け継手構造とされ、密着し合うそれらの接合面に、互いに吸着し合う永久磁石が埋設されると共に、互いに係合し合う凹凸部が形成される。
【００１０】
上記課題を解決するための請求項７に係る発明は、請求項５又は６に記載の環状磁気治療具を２つ上下に重ねて一体化された複合環状磁気治療具であって、前記２つの環状磁気治療具が、その途中数か所に配置された、上側の環状磁気治療具の前記連結紐を挿通する２つの挿通孔と、下側の環状磁気治療具の前記連結紐を挿通する２つの挿通孔が形成された結合ピースを介して一体化され、且つ、前記上側の環状磁気治療具の前記連結紐の端部を固定すると共に、前記下側の環状磁気治療具の前記連結紐を固定する一対の連結具を介して環状にされていることを特徴とする複合環状磁気治療具である。
【発明の効果】
【００１１】
本発明は上述したとおりであって、腕や脚に装着して使用することにより、多数の磁石ピースによる磁気治療効果と、ゲルマニウムピースによる、体内の電流バランスを整えてコリを緩和するといったゲルマニウム効果の相乗的効果を享受し得る効果がある。
【図面の簡単な説明】
【００１２】
【図１】本発明に係る環状磁気治療具の構成例を示す斜視図である。
【図２】本発明に係る環状磁気治療具の伸展状態を示す正面図である。
【図３】本発明に係る環状磁気治療具の連結具の構成を示す一部拡大斜視図である。
【図４】図２におけるＡ−Ａ線拡大断面図である。
【図５】本発明に係る複合環状磁気治療具の構成例を示す斜視図である。
【発明を実施するための形態】
【００１３】
本発明を実施するための形態について、添付図面に依拠して説明する。本発明に係る環状磁気治療具は、永久磁石１を埋設した磁石ピース２と、ゲルマニウム３を埋設したゲルマニウムピース４とを、混在配列して環状にしたものである。図示した例では、２つの磁石ピース２と１つのゲルマニウムピース４が組みにされて配列されている。
【００１４】
好ましい実施形態においては、各磁石ピース２に２つの永久磁石１が埋設され、隣り合う磁石ピース２において永久磁石１の極性が異なるように配置される。即ち、１つの磁石ピース２においては上側の永久磁石１がＮ極で、これに隣り合う磁石ピース２においては、上側の永久磁石1がＳ極となるように配置される。このような配置とした場合は、４つの磁石にて片面二極性の大きな磁石となり、各磁極間において発生する磁力線は、接触する腕又は脚に集中して飛んで無駄なく作用するので、磁気治療効果が高められる。
【００１５】
磁石ピース２とゲルマニウムピース４のケースは、例えばセラミックス製で直方体形状を呈するように形成され、且つ、両者は同一サイズで外側面は同一デザインのものとされる。多数の磁石ピース２とゲルマニウムピース４の連結は、それらのケースの上部及び下部に横方向に貫通する紐挿通孔６が穿設され、そこに連結紐５が挿通されることによって行われる。連結紐５は、通例、伸縮自在な素材製とされ、端部が連結具７、８に固定さる。
【００１６】
連結具７、８は腰掛け継手構造とされ、密着し合う接合面に、互いに吸着し合う永久磁石９が埋設され、また、互いに係合し合う凹凸部が形成される（図３参照）。図示した例では、連結具７の側に突部１０が形成され、連結具８の側に、突部１０が嵌入する係止穴１１が形成されている。かかる構成の連結具７、８は、その接合面同士を近接させることにより、互いの永久磁石９を介して吸着接合されるが、その際、突部１０が係止穴１１に嵌入されることにより、連結具７、８の横方向への離脱が阻止される。
【００１７】
上記構成の環状磁気治療具を２つ、上下に重ねて一体化することにより、複合環状磁気治療具とすることができる。そのためには第１に、磁石ピース２とゲルマニウムピース４の列の途中数か所に、上側の環状磁気治療具Ａの連結紐５を挿通する２つの紐挿通孔６と、下側の環状磁気治療具Ｂの連結紐５を挿通する２つの紐挿通孔６が形成された結合ピース１２を配置すればよい。図示した例では、結合ピース１２はゲルマニウムピース４対応位置に配置されるので、ゲルマニウム１３が２つ埋設された構造にされている。
【００１８】
また第２に、連結具７、８の代わりに、上側の環状磁気治療具Ａの連結紐５を固定すると共に、下側の環状磁気治療具Ｂの連結紐５を固定する、高さのある連結具７ａ、８ａを用いることとする。
【００１９】
上記構成の環状磁気治療具は、腕や脚に嵌め付けて使用するものであるが、その用途に応じ、また、使用者の腕や脚の太さに応じ、磁石ピース２とゲルマニウムピース４の連結個数を変えることにより、任意の径のものとすることができる。
【００２０】
上述したように本発明に係る環状磁気治療具は、永久磁石１を埋設した磁石ピース２と、ゲルマニウム３を埋設したゲルマニウムピース４とが、混在配列されて環状にされたものであるので、腕や脚に装着して使用することにより、多数の磁石ピース２による磁気治療効果と、ゲルマニウムピース４による、体内の電流バランスを整えてコリを緩和するといったゲルマニウム効果の相乗的効果を享受し得るものであり、産業上の利用可能性は大である。
【符号の説明】
【００２１】
Ａ、Ｂ      環状磁気治療具
１、９      永久磁石
２          磁石ピース
３          ゲルマニウム
４          ゲルマニウムピース
５          連結紐
６          紐挿通孔
７、８      連結具
７ａ、８ａ  連結具
１０        突部
１１        係止穴
１２        結合ピース
【図１】
2018093990.tif 000003
【図２】
2018093990.tif 000004
【図３】
2018093990.tif 000005
【図４】
2018093990.tif 000006
【図５】
2018093990.tif 000007